(57)【要約】【課題】反射鏡に起因した光学情報読取装置の読取性能の劣化を抑制し得る光学情報読取装置の反射鏡および光学情報読取装置を提供する。【解決手段】バーコードリーダ１０では、第２ミラー３５を取付可能に上ケース１１に一体に形成される取付構造として、第２ミラー３５の長手方向の両側から当該長手方向および厚さ方向の移動を規制する一方で、第２ミラー３５の短手方向の移動を許容して第２ミラー３５を保持する一対のガイド部１６ａ、１６ｂと、一対のガイド部１６ａ、１６ｂを第２ミラー３５の長手方向に連結する支持部１７と、ガイド部１６ａ、１６ｂに保持された第２ミラー３５の短手方向の移動を阻止するスナップフィット１８ａ、１８ｂと、を備える。【選択図】図２
2007133567.tif 000002
【特許請求の範囲】
【請求項１】
合成樹脂からなる矩形板状部の一方の面に金属膜を形成して構成される反射面を有し、光学情報読取装置内に設けられることで、当該光学情報読取装置の読取口から入射した入射光を前記反射面で反射しその光路を設定する光学情報読取装置の反射鏡であって、
前記矩形板状部の他方の面に当該矩形の長手方向に延びて形成される線状の凸部を備えることを特徴とする光学情報読取装置の反射鏡。
【請求項２】
前記凸部は、前記線状の一部または全部の高さが前記他方の面からほぼ４mm以上に設定されていることを特徴とする請求項１記載の光学情報読取装置の反射鏡。
【請求項３】
前記凸部には、当該凸部の高さ方向に延びる板形状または棒形状の把持部が形成されていることを特徴とする請求項１記載の光学情報読取装置の反射鏡。
【請求項４】
前記把持部には、当該把持部の一部または全部を折れ易くし得る溝部が形成されていることを特徴とする請求項３記載の光学情報読取装置の反射鏡。
【請求項５】
読取口から入射した入射光を受光可能な受光素子、この受光素子の受光面に前記入射光による像を結像可能な結像光学系および前記受光素子に至るまでの前記入射光の光路途中に位置しこの光路を設定する矩形板状の反射鏡を含む光学系と、
前記光学系を収容し、前記反射鏡を取付可能な取付部を内側に一体に形成するハウジングと、を備える光学情報読取装置であって、
前記取付部は、
前記反射鏡の長手方向の両側から当該長手方向および厚さ方向の移動を規制する一方で、前記反射鏡の短手方向の移動を許容して前記反射鏡を保持する一対のガイド部と、
前記一対のガイド部を前記反射鏡の長手方向に連結する連結部と、
前記ガイド部に保持された前記反射鏡の短手方向の移動を阻止する係止部と、
を備えることを特徴とする光学情報読取装置。
【請求項６】
前記連結部は、前記反射鏡を構成する反射面の裏側をほぼ面状に支持することを特徴とする請求項５記載の光学情報読取装置。
【請求項７】
前記反射鏡は、請求項１〜４のいずれか一項に記載の光学情報読取装置の反射鏡で、
前記取付部は、前記一対のガイド部が前記反射鏡の矩形板状部の長手方向および厚さ方向の移動を規制する一方で前記矩形板状部の短手方向の移動を許容して前記反射鏡を保持し、前記連結部が前記一対のガイド部を前記矩形板状部の長手方向に連結し、
前記係止部は、前記取付部に保持された前記反射鏡の前記凸部を係止するスナップフィット構造の爪部であることを特徴とする請求項４または５記載の光学情報読取装置。
【発明の詳細な説明】
【技術分野】
【０００１】
本発明は、合成樹脂からなる矩形板状部の一方の面に金属膜を形成して構成される反射面を有し、光学情報読取装置内に設けられることで、当該光学情報読取装置の読取口から入射した入射光を前記反射面で反射しその光路を設定する光学情報読取装置の反射鏡および光学情報読取装置に関するものである。
【背景技術】
【０００２】
一般に、光学情報読取装置は、情報コードに照射する照射光を発光可能な発光手段と、この発光手段から情報コードに照射されて反射した反射光を入射可能な読取口と、この読取口から入射した入射光を受光可能な受光素子と、この受光素子の受光面に入射光による像を結像可能な結像光学系と、この受光素子により受光された情報コードに関する信号を処理可能な電子回路と、を備えており、受光素子に至るまでの入射光の光路は反射鏡により設定されている。
【０００３】
ところで、このような反射鏡は、これらの光学系や電子回路を収容するハウジングに取り付けられていることが多く、その取り付けには複数の組付部品が用いられているため、部品点数の増大を招来しやすい。そこで、下記、特許文献１に開示される「光学的情報読取装置」が提案されている。この開示技術では、矩形状からなる反射体（反射鏡）の長手方向の両端部分のみを一対の断面コ字状の反射体固定部材によって支持固定することで、部品点数の削減を可能にしている。
【特許文献１】特開２０００−１４８９０３号公報
【発明の開示】
【発明が解決しようとする課題】
【０００４】
しかしながら、この開示技術によると、矩形状の反射体をその長手方向両端側から挟み込むように一対の反射体固定部材によって支持固定していることから、当該反射体が合成樹脂等の可撓性を有する材料で形成されている場合には、反射体の組付時の状況や経年変化等により反射体が長手方向に反ったり湾曲するおそれがある。また一対の反射体固定部材も、合成樹脂等の可撓性を有する材料で形成されている場合には、経年変化等により反射体の長手方向に反ったり湾曲するおそれがある。
【０００５】
このような反射体や反射体固定部材の反りや湾曲は、反射面の変形や歪み、さらには反射体のガタツキに繋がることから、入射光の光路を予定した方向に変更し難くするので、光学情報読取装置としての読取性能の劣化を招いてしまうという問題がある。
【０００６】
また、反射鏡は、一般に、小さく取り扱い難いことから、その取り付けに際して作業者が反射面に触れて汚してしまうおそれもある。このような反射面の汚れは、反射鏡の性能劣化を招いたり、組付後の検査工程の増大を招くばかりでなく、光学情報読取装置としての読取性能の劣化という問題にも直結し得る。
【０００７】
さらに、上記の開示技術では、反射体の固定には、超音波により溶着するとしている（特許文献１；段落番号００１６）。このため、超音波溶着を可能にする製造設備を必要とすることから、その設備コストや維持コストの増大を招くという問題がある。
【０００８】
本発明は、上述した課題を解決するためになされたものであり、その目的とするところは、反射鏡に起因した光学情報読取装置の読取性能の劣化を抑制し得る光学情報読取装置の反射鏡を提供することにある。
また、本発明の別の目的は、部品点数を増加させることなく、反射鏡の固定を容易にし得る光学情報読取装置を提供することにある。
【課題を解決するための手段】
【０００９】
上記目的を達成するため、特許請求の範囲に記載の請求項１の光学情報読取装置の反射鏡では、合成樹脂からなる矩形板状部の一方の面に金属膜を形成して構成される反射面を有し、光学情報読取装置内に設けられることで、当該光学情報読取装置の読取口から入射した入射光を前記反射面で反射しその光路を設定する光学情報読取装置の反射鏡であって、前記矩形板状部の他方の面に当該矩形の長手方向に延びて形成される線状の凸部を備えることを技術的特徴とする。
【００１０】
特許請求の範囲に記載の請求項２の光学情報読取装置の反射鏡では、請求項１記載の光学情報読取装置の反射鏡において、前記凸部は、前記線状の一部または全部の高さが前記他方の面からほぼ４mm以上に設定されていることを技術的特徴とする。
【００１１】
特許請求の範囲に記載の請求項３の光学情報読取装置の反射鏡では、請求項１記載の光学情報読取装置の反射鏡において、前記凸部には、当該凸部の高さ方向に延びる板形状または棒形状の把持部が形成されていることを技術的特徴とする。
【００１２】
特許請求の範囲に記載の請求項４の光学情報読取装置の反射鏡では、請求項３記載の光学情報読取装置の反射鏡において、前記把持部には、当該把持部の一部または全部を折れ易くし得る溝部が形成されていることを技術的特徴とする。
【００１３】
上記目的を達成するため、特許請求の範囲に記載の請求項５の光学情報読取装置では、読取口から入射した入射光を受光可能な受光素子、この受光素子の受光面に前記入射光による像を結像可能な結像光学系および前記受光素子に至るまでの前記入射光の光路途中に位置しこの光路を設定する矩形板状の反射鏡を含む光学系と、前記光学系を収容し、前記反射鏡を取付可能な取付部を内側に一体に形成するハウジングと、を備える光学情報読取装置であって、前記取付部は、前記反射鏡の長手方向の両側から当該長手方向および厚さ方向の移動を規制する一方で、前記反射鏡の短手方向の移動を許容して前記反射鏡を保持する一対のガイド部と、前記一対のガイド部を前記反射鏡の長手方向に連結する連結部と、前記ガイド部に保持された前記反射鏡の短手方向の移動を阻止する係止部と、を備えることを技術的特徴とする。
【００１４】
特許請求の範囲に記載の請求項６の光学情報読取装置では、請求項５記載の光学情報読取装置において、前記連結部は、前記反射鏡を構成する反射面の裏側をほぼ面状に支持することを技術的特徴とする。
【００１５】
特許請求の範囲に記載の請求項７の光学情報読取装置では、請求項４または５記載の光学情報読取装置において、前記反射鏡は、請求項１〜４のいずれか一項に記載の光学情報読取装置の反射鏡で、前記取付部は、前記一対のガイド部が前記反射鏡の矩形板状部の長手方向および厚さ方向の移動を規制する一方で前記矩形板状部の短手方向の移動を許容して前記反射鏡を保持し、前記連結部が前記一対のガイド部を前記矩形板状部の長手方向に連結し、前記係止部は、前記取付部に保持された前記反射鏡の前記凸部を係止するスナップフィット構造の爪部であることを技術的特徴とする。
【発明の効果】
【００１６】
請求項１の発明では、矩形板状部の他方の面に当該矩形の長手方向に延びて形成される線状の凸部を備える。これにより、当該反射鏡が合成樹脂からなるものであっても、一方の面の反射面の裏側にあたる他方の面には、長手方向に延びる線状の凸部が形成されているので、この線状の凸部が背骨として当該反射鏡を長手方向に変形し難くするキール構造として機能することで、当該反射鏡が長手方向に反ったり湾曲することを防止できる。したがって、反射鏡の反りや湾曲による反射方向の狂いや乱れを防ぐことができるので、反射鏡に起因した光学情報読取装置の読取性能の劣化を抑制することができる。
【００１７】
請求項２の発明では、線状の凸部は、当該線状の一部または全部の高さが他方の面からほぼ４mm以上に設定されている。これにより、反射面の裏側にあたる他方の面に形成される凸部が掴み代として機能し得るので、このような凸部を作業者が指先や工具で掴むことで、表側の反射面に触れることなく、当該反射鏡の組付作業を行うことができる。したがって、このような掴み代がないものに比べて、反射鏡の取り付けに際して作業者が反射面に触れて汚してしまうおそれが減少するので、反射鏡に起因した光学情報読取装置の読取性能の劣化を抑制することができる。
【００１８】
請求項３の発明では、線状の凸部には、当該凸部の高さ方向に延びる板形状または棒形状の把持部が形成されている。これにより、このような板形状または棒形状の把持部が線状の凸部よりも掴み易い掴み代として機能し得るので、この把持部を作業者が指先や工具で掴むことで、表側の反射面に触れることがより一層少なくできる。したがって、このような把持部がないものに比べて、反射鏡の取り付けに際して作業者が反射面に触れて汚してしまうおそれが激減するので、反射鏡に起因した光学情報読取装置の読取性能の劣化をさらに抑制することができる。
【００１９】
請求項４の発明では、把持部には、当該把持部の一部または全部を折れ易くし得る溝部が形成されている。これにより、この溝部から当該把持部の一部または全部を折ることができるので、例えば、当該把持部の長さが光学情報読取装置のハウジング内に収まらない長さに設定されていても、当該反射鏡の取付後にこの溝部で把持部を折って取り除くことで、組付作業を重視した長さに当該把持部を設定することができる。したがって、このような把持部によって当該反射鏡の組付作業が容易になり、作業者が反射面に触れる可能性をより低くするので、反射鏡に起因した光学情報読取装置の読取性能の劣化をさらに抑制することができる。
【００２０】
請求項５の発明では、反射鏡を取付可能にハウジングに一体に形成される取付部は、反射鏡の長手方向の両側から当該長手方向および厚さ方向の移動を規制する一方で、反射鏡の短手方向の移動を許容して反射鏡を保持する一対のガイド部と、一対のガイド部を反射鏡の長手方向に連結する連結部と、ガイド部に保持された反射鏡の短手方向の移動を阻止する係止部と、を備える。これにより、ガイド部により長手方向の両側から保持された反射鏡は、係止部によりその短手方向の移動が阻止されるので、矩形板状の反射鏡を容易に固定することができる。また、一対のガイド部は、連結部により反射鏡の長手方向に連結されることから、経年変化等によりガイド部が反射鏡の長手方向に反ったり撓んだりするのを抑制するので、保持された反射鏡が、このような反りや撓みによってガタつくのを防ぐことができる。さらに、このような反射鏡の取付部は、ハウジングに一体に形成されるので、部品点数の増加を招くこともない。したがって、反射鏡に起因した光学情報読取装置の読取性能の劣化を抑制することができ、また部品点数を増加させることなく、反射鏡の固定を容易にすることもできる。
【００２１】
請求項６の発明では、取付部の連結部は、反射鏡を構成する反射面の裏側をほぼ面状に支持する。これにより、一対のガイド部に保持された反射鏡は、その裏側からほぼ面状に支えられるので、裏面方向に張り出す湾曲変形を防止することができる。したがって、このような反射鏡の湾曲変形に起因した光学情報読取装置の読取性能の劣化を抑制することができ、また部品点数を増加させることなく、反射鏡の固定を容易にすることもできる。
【００２２】
請求項７の発明では、反射鏡は、請求項１〜４のいずれか一項に記載の光学情報読取装置の反射鏡であり、取付部は、一対のガイド部が反射鏡の矩形板状部の長手方向および厚さ方向の移動を規制する一方で矩形板状部の短手方向の移動を許容して反射鏡を保持し、連結部が一対のガイド部を矩形板状部の長手方向に連結し、係止部は、取付部に保持された反射鏡の凸部を係止するスナップフィット構造の爪部である。これにより、上述した請求項１〜４の反射鏡による作用および効果を享受しつつ、さらにスナップフィット構造により反射鏡の固定を容易にすることができる。したがって、これまで述べたような理由により反射鏡に起因した光学情報読取装置の読取性能の劣化を抑制することができることに加えて、部品点数を増加させることなく、反射鏡の固定を一層容易にすることができる。
【発明を実施するための最良の形態】
【００２３】
以下、本発明の光学情報読取装置の反射鏡および光学情報読取装置をバーコードリーダに適用した実施形態を図１〜図７に基づいて説明する。まず、図１〜図３を参照してバーコードリーダ１０の構成概要を説明する。なお、図１には、斜視図によりバーコードリーダ１０の外観構成が示されており、図２には、縦断面図によりバーコードリーダ１０の内部構成が示されている。また、図３には、斜視図によりバーコードリーダの上ケースの構成が示されている。
【００２４】
図１〜図３に示すように、バーコードリーダ１０は、主に、ハウジングを構成する上ケース１１および下ケース１２、このハウジング内に収容されるプリント配線板２０、光学系３０、さらにこのハウジングから外部に延びるケーブル４０から構成されている。
【００２５】
上ケース１１は、ＡＢＳ樹脂等の合成樹脂からなる成形部材で、主に、バーコードリーダ１０の表側の外観を形成している（図１、図２参照）。この上ケース１１の一端側１１ａには、読取口１３が形成され、また他端側１１ｂにはケーブル取付部１４が形成されている（図３参照）。この読取口１３が形成される一端側１１ａは、裏面側に大きく前傾する首曲がり形状に形成されている。これにより、作業者がバーコードリーダ１０を当該上ケース１１側から把持した状態で、読取対象物に貼付されたラベル等のバーコード（情報コード）に読取口１３を当て易くしている。なお、この上ケース１１の内側には、後で図３を参照して説明するように、光学系３０を構成する各光学部品を取り付け可能にするミラーホルダ１５ａ、レンズホルダ１５ｂ、ガイド部１６ａ、１６ｂ、支持部１７、スナップフィット１８ａ、１８ｂ等がそれぞれ一体に形成されている。
【００２６】
下ケース１２も、ＡＢＳ樹脂等の合成樹脂からなる成形部材で、主に、バーコードリーダ１０の裏側の外観を形成している（図１、図２参照）。この下ケース１２の一端側１２ａにも、上ケース１１と同様に、読取口１３が形成され、また他端側１２ｂにもケーブル取付部１４が形成されている（図３参照）。またこの読取口１３が形成される一端側１２ａも、上ケース１１の一端側１１ａと同様に、裏面側に大きく前傾する首曲がり形状に形成されている。なお、この下ケース１２と前述した上ケース１１とは、それぞれの開口部を組み合わせた状態で、これらを嵌合可能な図略のスナップフィット構造を有しており、プリント配線板２０や光学系３０を収容可能な内部空間を形成可能に構成されている。
【００２７】
プリント配線板２０は、上ケース１１および下ケース１２により形成される内部空間に収容可能な短冊状の矩形状に形成されており、一端側に入射光の通過を可能にする開口部２１が設けられている。このプリント配線板２０には、発光ダイオード２３や電子部品２５が実装されているほか、次に説明する光学系３０を構成する受光センサ３７も実装されている。なお、図２等には図示されていないが、このプリント配線板２０は、上ケース１１に形成されたスナップフィット構造の爪部により当該内部空間内で支持固定され得るように構成されている。またプリント配線板２０には、図略の２次電池から駆動電力が供給されて、これらの電子部品２５等で構成される信号処理回路等を駆動し得るように構成されている。
【００２８】
光学系３０は、主に、第１ミラー３１、結像レンズ３３、第２ミラー３５、受光センサ３７等から構成されている。第１ミラー３１は、アクリル樹脂等の合成樹脂からなる矩形板状の部材で、一方の面に金属膜等を蒸着した反射面を備えることで、当該反射面に入射した入射光Ｌを反射する機能を有する反射鏡である。この第１ミラー３１は、上ケース１１に一体に形成されるミラーホルダ１５ａにより所定角度で保持されることで、発光ダイオード２３からバーコードに照射されて反射した反射光のうち、読取口１３に入射してプリント配線板２０の開口部２１を通過した入射光Ｌを、結像レンズ３３の方向に向けて反射可能に構成されている。なお、ミラーホルダ１５ａは、スナップフィット構造により第１ミラー３１の長手方向両側を挟持することで当該第１ミラー３１を上ケース１１に取り付け能にしている。
【００２９】
結像レンズ３３は、ガラスやアクリル樹脂等からなる所定開口の凸レンズで、第１ミラー３１で反射された入射光Ｌによる像を第２ミラー３５を介して受光センサ３７の受光面３７ａで結像可能に構成されている。この結像レンズ３３も、上ケース１１に一体に形成されるレンズホルダ１５ｂにより保持されることで、上ケース１１に取り付け可能に構成されている。
【００３０】
第２ミラー３５は、第１ミラー３１と同様に、アクリル樹脂等の合成樹脂からなる矩形板状部を有する部材で、当該矩形板状部の一方の面３５ａに金属膜等を蒸着した反射面αを備えることで、当該反射面αに入射した入射光Ｌを反射する機能を有する反射鏡である。この第２ミラー３５は、後述するように、上ケース１１に一体に形成されるガイド部１６ａや支持部１７等により所定角度で保持されることで、結像レンズ３３を介して入射した入射光Ｌを受光センサ３７の受光面３７ａの方向に向けて反射可能に構成されている。つまり、光路LLを設定可能に構成されている。
【００３１】
この第２ミラー３５には、このような反射面αを備える矩形板状部のほかに、矩形板状部の他方の面３５ｂ、つまり反射面αの裏側にあたる非反射面に当該矩形の長手方向に延びる線状の凸部としての掴み代３５ｄが形成されている。なお、この第２ミラー３５の構成については、図４を参照して詳述する。
【００３２】
受光センサ３７は、画素が一列に並んだラインセンサタイプの、ＣＣＤやＣ−ＭＯＳ等による受光素子で、固体撮像素子とも称されるものである。この受光センサ３７は、受光面３７ａに入射した光の強弱に応じた電気信号をアナログ出力可能な機能部品で、これにより出力されたアナログ信号は、前述したプリント配線板２０の電子部品２５等で構成される信号処理回路によって所定のフィルタリング処理やディジタル信号に変換される処理等がなされた後、ＲＳ−２３２Ｃ仕様のケーブル４０を介して外部に出力される。なお、このケーブル４０の先端には、ＰＯＳ端末やパーソナルコンピュータ等のホストシステムと電気的に接続可能な図略のコネクタ等が接続されている。
【００３３】
次に、図３〜図５に参照して、第２ミラー３５の構成と、上ケース１１に形成される第２ミラー３５の取付構造とを説明する。なお、図４(A) には第２ミラー３５の側面、図４(B) には図４(A) に示す４Ｂ方向から見た第２ミラー３５の平面、図４(C) には図４(A) に示す４Ｃ方向から見た第２ミラー３５の背面が、それぞれ示されている。また、図５には、第２ミラー３５の組付工程が図示されている。
【００３４】
図４(A) 〜図４(C) に示すように、第２ミラー３５は、一方の面３５ａに金属膜等を蒸着した反射面αを備えた短冊状の矩形板状部と、この矩形板状部の他方の面３５ｂ（裏）側に当該矩形の長手方向に延びて形成される線状の凸部３５ｃと、この線状の凸部３５ｃからさらに他方の面３５ｂ（裏）側で当該矩形の短手方向に向かって当該矩形の長手方向に延びて形成される掴み代３５ｄと、を有する形状に形成されている。なお、一方の面３５ａに形成される反射面αは、蒸着した金属膜の剥離を抑制するため、当該一方の面３５ａの端面いっぱいに形成されるのではなく、当該端面から内側に若干の余地を確保して形成されている。
【００３５】
このように第２ミラー３５では、その他方の面３５ｂに長手方向に延びる線状の凸部３５ｃが形成されているので、この線状の凸部３５ｃが背骨として当該第２ミラー３５を長手方向に変形し難くするキール構造として機能することで、当該第２ミラー３５が長手方向に反ったり湾曲することを防止している。これにより、第２ミラー３５の反りや湾曲による反射方向の狂いや乱れ、例えば、予定外の方向に入射光Ｌを反射したり、乱反射等を防止できるので、第２ミラー３５に起因したバーコードリーダ１０の読取性能の劣化を抑制することができる。
【００３６】
また、この第２ミラー３５には、凸部３５ｃから延びる掴み代３５ｄが形成されているので、例えば、この掴み代３５ｄの他方の面３５ｂからの高さＨを４mm以上に設定することで、この凸部３５ｃの延長として位置づけられるものが掴み代３５ｄとして機能し得る。これにより、当該第２ミラー３５の組付作業を行う作業者が、この掴み代３５ｄを指先や工具で掴むことで、表側の反射面αに触れることなく、当該第２ミラー３５の組付作業を行うことができる。したがって、このような掴み代３５ｄがないものに比べて、第２ミラー３５の取り付けに際して作業者が反射面αに触れて汚してしまうおそれが減少するので、第２ミラー３５に起因したバーコードリーダ１０の読取性能の劣化を抑制することができる。
【００３７】
なお、掴み代３５ｄの角度θは、本実施形態では、例えば、２０°〜４０°に設定されている。この角度θは、当該第２ミラー３５を組み付ける上ケース１１の形状による条件、ハウジングの内部空間に収容される電子部品２５や光学系３０の条件あるいは作業者の作業基準等の組付条件等の諸条件によって適宜設定される。
【００３８】
このように構成される第２ミラー３５は、図３に示すように、上ケース１１に一体に形成される第２ミラー３５の取付構造、即ち、一対のガイド部１６ａ、１６ｂ、支持部１７、スナップフィット１８ａ、１８ｂ、によって上ケース１１に取り付け可能に構成されている。
【００３９】
ガイド部１６ａ、１６ｂは、いずれも角柱形状で対峙して上ケース１１の裏側からハウジングの内部空間側に立ち上がるように形成される部材で、これらの間をつなぐように形成される支持部１７との間にガイド溝１９ａ、１９ｂを形成可能に構成されている。このように形成されるガイド溝１９ａ、１９ｂは、第２ミラー３５の長手方向の両端が挿入された場合に、その溝長さおよび溝幅が、当該第２ミラー３５の長手方向および厚さ方向の移動を規制するように設定されている。
【００４０】
また、ガイド部１６ａ、１６ｂの間に設けられる支持部１７は、ガイド部１６ａ、１６ｂとともに、ガイド溝１９ａ、１９ｂを形成する断面三角形状のほぼ面状に第２ミラー３５の他方の面３５ｂを支える部材で、これらのガイド溝１９ａ、１９ｂに挿入された第２ミラー３５を所定角度に維持可能にその斜面の角度が設定されている。これにより、一対のガイド部１６ａ、１６ｂに保持された第２ミラー３５は、その他方の面３５ｂ（裏側）からほぼ面状に支えられるので、裏面方向に張り出す湾曲変形を防止することができる。なお、この所定角度は、前述したように、当該第２ミラー３５が受光センサ３７に向けて入射光Ｌを反射する角度である。
【００４１】
スナップフィット１８ａ、１８ｂは、このようなガイド溝１９ａ、１９ｂに保持された第２ミラー３５をその短手方向の移動を阻止する部材で、ガイド部１６ａ、１６ｂと同様に、対峙して上ケース１１の裏側からハウジングの内部空間側に立ち上がる柱部１８a1、１８b1と、この柱部１８a1、１８b1の先端に形成される爪部１８a2、１８b2とから構成される（図５参照）。この爪部１８a2、１８b2は、前述した第２ミラー３５の凸部３５ｃの側部３５ｅに係止可能なスナップフィット構造に構成されているので、後述するように、第２ミラー３５の組付工程においてワンタッチで上ケース１１に第２ミラー３５を固定可能にしている（図５参照）。
【００４２】
なお、本実施形態のようにガイド部１６ａ、１６ｂをいずれも角柱形状にすることなく、例えば、いずれも断面コ字形状で「コ」の開口が対向するように対峙して上ケース１１の裏側から立ち上がるように形成し、またこれらとの隙間（ガイド溝１９ａ、１９ｂ）を形成することなく、支持部１７で直接連結するように形成しても良い。この場合、断面コ字形状の「コ」の開口が、ガイド溝１９ａ、１９ｂとなる。
【００４３】
このように上ケース１１に第２ミラー３５の取付構造が構成されることで、図５に示すような組付工程によって第２ミラー３５を上ケース１１に取り付けることが可能となる。なお、図５(A) 〜図５(C) には、上ケース１１および第２ミラー３５の半分が図示されているため、実際には、このような上ケース１１の取付構造および第２ミラー３５が両側に存在することに留意されたい。
【００４４】
図５(A) に示すように、第２ミラー３５の組付工程では、まず作業者により掴み代３５ｄが把持された第２ミラー３５の矩形板状部の長手方向両側を、ガイド溝１９ａ（１９ｂ）に挿入するように近づける（図５(A) に示す破線矢印）。このとき第２ミラー３５の一方の面３５ａ（反射面α）は、ガイド部１６ａ、１６ｂ側に位置する。
【００４５】
そして、図５(B) に示すように、この姿勢を確保したままガイド溝１９ａ（１９ｂ）に第２ミラー３５の矩形板状部の両側を挿入すると、やがて第２ミラー３５の掴み代３５ｄの側部３５ｅがスナップフィット１８ａ（１８ｂ）の爪部１８a2（１８b2）の斜面を滑って押し拡げるので、さらに第２ミラー３５の矩形板状部の短手方向上側が上ケース１１の内壁に当接するまで第２ミラー３５を押し込む。
【００４６】
すると、図５(C) に示すように、それまでスナップフィット１８ａ（１８ｂ）の爪部１８a2（１８b2）を押し拡げていた掴み代３５ｄの側部３５ｅがその斜面を乗り越えるため、爪部１８a2（１８b2）が内側に戻って掴み代３５ｄを係止する。つまり、作業者は、第２ミラー３５の組付けの開始から終了まで第２ミラー３５の掴み代３５ｄを把持する以外は、第２ミラー３５の他の部分に触れることなく、当該第２ミラー３５の組付作業を実施することができる。また、第２ミラー３５の係止には、スナップフィット１８ａ、１８ｂによるスナップフィット構造を採用しているので、第２ミラー３５をワンタッチで上ケース１１に組付つけることができる。
【００４７】
このように本実施形態に係るバーコードリーダ１０では、第２ミラー３５を取付可能に上ケース１１に一体に形成される取付構造、第２ミラー３５の長手方向の両側から当該長手方向および厚さ方向の移動を規制する一方で、第２ミラー３５の短手方向の移動を許容して第２ミラー３５を保持する一対のガイド部１６ａ、１６ｂと、一対のガイド部１６ａ、１６ｂを第２ミラー３５の長手方向に連結する支持部１７と、ガイド部１６ａ、１６ｂに保持された第２ミラー３５の短手方向の移動を阻止するスナップフィット１８ａ、１８ｂと、を備える。
【００４８】
これにより、ガイド部１６ａ、１６ｂにより長手方向の両側から保持された第２ミラー３５は、スナップフィット１８ａ、１８ｂによりその短手方向の移動が阻止されるので、矩形板状の第２ミラー３５を容易に固定することができる。また、一対のガイド部１６ａ、１６ｂは、支持部１７により第２ミラー３５の長手方向に連結されることから、経年変化等によりガイド部１６ａ、１６ｂが第２ミラー３５の長手方向に反ったり撓んだりするのを抑制するので、保持された第２ミラー３５が、このような反りや撓みによってガタつくのを防ぐことができる。さらに、このような第２ミラー３５の取付構造は、上ケース１１に一体に形成されるので、部品点数の増加を招くこともない。したがって、第２ミラー３５に起因したバーコードリーダ１０の読取性能の劣化を抑制することができ、また部品点数を増加させることなく、第２ミラー３５の固定を容易にすることもできる。
【００４９】
次に、本実施形態に係るバーコードリーダ１０の第２ミラー３５の改変例を図６および図７を参照して説明する。なお、図６(A) には第２ミラー３５’の側面、図６(B) には図６(A) に示す４Ｂ方向から見た第２ミラー３５’の平面、図６(C) には図６(A) に示す４Ｃ方向から見た第２ミラー３５’の背面が、それぞれ示されている。
【００５０】
図６(A) 〜図６(C) に示すように、本改変例による第２ミラー３５’では、棒状または長板状の掴み代３５ｄ’（把持部）を第２ミラー３５の長手方向ほぼ中央にのみ形成し、その長さを前述した第２ミラー３５の掴み代３５ｄよりも長く設定している。また、第２ミラー３５’では、当該掴み代３５ｄ’に掴み代３５ｄ’の一部または全部を折れ易くし得る溝部３５ｆを形成している。また、掴み代３５ｄ’の長さは、組付作業を重視した長さ、例えば、２０mm程度に設定されている。
【００５１】
これにより、このような棒形状の掴み代３５ｄ’を設けることで、作業者は当該第２ミラー３５’をよりつかみやすくなるので、一方の面３５ａ（表側）の反射面αに触れることがより一層少なくできる。したがって、このような掴み代３５ｄ’がないものに比べて、第２ミラー３５’の取り付けに際して作業者が反射面αに触れて汚してしまうおそれが激減するので、第２ミラー３５’に起因したバーコードリーダ１０の読取性能の劣化をさらに抑制することができる。
【００５２】
このような第２ミラー３５’の組付工程では、図６(A) 〜図６(C) に示すように、上ケース１１に当該第２ミラー３５’を取り付けた後、棒状の掴み代３５ｄ’を溝部３５ｆから折って取り除く。これにより、例えば、当該掴み代３５ｄ’の長さがバーコードリーダ１０のハウジング内に収まらない長さに設定されていても、当該第２ミラー３５’の取付後にこの溝部３５ｆで掴み代３５ｄ’を折って取り除くことで（切除部分は３５ｄ”）、組付作業を重視した長さに設定することができる。したがって、このような掴み代３５ｄ’によって当該第２ミラー３５の組付作業が容易になり、作業者が反射面αに触れる可能性をより低くするので、第２ミラー３５’に起因したバーコードリーダ１０の読取性能の劣化をさらに抑制することができる。
【図面の簡単な説明】
【００５３】
【図１】本発明の実施形態に係るバーコードリーダの外観構成を示す斜視図である。
【図２】本実施形態に係るバーコードリーダの内部構成を示す縦断面図である。
【図３】本実施形態に係るバーコードリーダの上ケースの構成を示す斜視図である。
【図４】本発明の実施形態に係る第２ミラーを示す図で、図４(A) は側面図、図４(B) は図４(A) に示す４Ｂ方向から見た平面図、図４(C) は図４(A) に示す４Ｃ方向から見た背面図である。
【図５】本実施形態に係る第２ミラーの組付工程を示す説明図である。
【図６】本実施形態の改変例に係る第２ミラーを示す図で、図６(A) は側面図、図６(B) は図６(A) に示す６Ｂ方向から見た平面図、図６(C) は図６(A) に示す６Ｃ方向から見た背面図である。
【図７】本実施形態の改変例に第２ミラーの組付工程を示す説明図である。
【符号の説明】
【００５４】
１０…バーコードリーダ（光学情報読取装置）
１１…上ケース（ハウジング）
１２…下ケース（ハウジング）
１３…読取口
１６ａ、１６ｂ…ガイド部（一対のガイド部）
１７…支持部（連結部）
１８ａ、１８ｂ…スナップフィット（係止部、爪部）
１９ａ、１９ｂ…ガイド溝
２３…発光ダイオード
３０…光学系
３１…第１ミラー
３３…結像レンズ（結像光学系）
３５、３５’…第２ミラー（反射鏡）
３５ａ…一方の面
３５ｂ…他方の面
３５ｃ…凸部（線状の凸部）
３５ｄ…掴み代（線状の凸部）
３５ｄ’…掴み代（把持部）
３７…受光セン（受光素子）
３７ａ…受光面
α…反射面
Ｌ…入射光
LL…光路
【図１】
2007133567.tif 000003
【図２】
2007133567.tif 000004
【図３】
2007133567.tif 000005
【図４】
2007133567.tif 000006
【図５】
2007133567.tif 000007
【図６】
2007133567.tif 000008
【図７】
2007133567.tif 000009